(57)【特許請求の範囲】
【請求項１】
ＤＩＮレールに着脱可能に取り付けられるＤＩＮレール取付型機器であって、
筐体と、
前記筐体の一面に前記筐体の幅方向に沿って設けられ、前記ＤＩＮレールと嵌合可能なレール溝と、
前記筐体の一面に前記レール溝の幅方向に沿って複数並列して設けられたスライダ溝と、
前記スライダ溝内を前記レール溝に対して進退するように摺動し、前記レール溝に嵌合された前記ＤＩＮレールの係合片部に一方側端部が係合することにより前記レール溝と前記ＤＩＮレールとの嵌合状態を保持可能な複数のロック部材と、を備え、
前記ロック部材は、前記複数のスライダ溝内にそれぞれ個別に設けられており、
各ロック部材は、
前記一方側端部が前記スライダ溝より前記レール溝内に突出すると共に、他方側端部が前記筐体より突出する第１位置と、前記一方側端部が前記スライダ溝より前記レール溝内に突出し、前記他方側端部が前記スライダ溝内に収納される第２位置と、前記一方側端部が前記スライダ溝内に収納され、前記他方側端部が前記筐体より突出する第３位置とに移動可能であると共に、前記第１位置において、前記一方側端部を前記ＤＩＮレールの係合片部に係合させて前記レール溝と前記ＤＩＮレールとの嵌合状態を保持可能であり、前記レール溝に前記ＤＩＮレールが嵌合されていない場合にのみ前記第２位置に移動可能に構成されており、前記スライダ溝内を移動する際に、前記スライダ溝内に設けられた複数の凹部に順次係合することで、前記ロック部材を前記第１位置、前記第２位置、及び前記第３位置に保持可能な少なくとも１つのバネ片部を有しており、且つ、
前記第２位置に移動した際にストッパとして機能すると共に前記筐体内に収納される突出部を前記他方側端部に有している
ことを特徴とするＤＩＮレール取付型機器。
【請求項２】
前記バネ片部は、
前記筐体の奥行き方向に弾性的に撓みつつ、前記凹部への係合及び係合解除を行う
ことを特徴とする請求項１に記載のＤＩＮレール取付型機器。
【発明の詳細な説明】
【技術分野】
【０００１】
本発明は、ＤＩＮレールに着脱可能に取り付けられるＤＩＮレール取付型機器に関する。
【背景技術】
【０００２】
従来、ＤＩＮレールに着脱可能に取り付けられるＤＩＮレール取付型機器が知られている（例えば、特許文献１参照）。この従来技術のＤＩＮレール取付型機器（プログラマブルコントローラ用ユニット）の筐体（ユニット本体）は、その背面部に当該筐体の幅方向に延在するように設けられたレール溝（係合凹部）を有しており、このレール溝にてＤＩＮレールに係合し、ロック部材（スライダロック装置）によりＤＩＮレールに係止され、ＤＩＮレールに取り付けられる。
【先行技術文献】
【特許文献】
【０００３】
【特許文献１】特許第３４５３７３９号公報
【発明の概要】
【発明が解決しようとする課題】
【０００４】
上記従来技術のＤＩＮレール取付型機器は、ＤＩＮレールに取り付けられた状態だけではなく、ＤＩＮレールより取り外された状態においても、ロック部材が筐体より突出している。このため、以下のような問題がある。すなわち、取り外された状態のＤＩＮレール取付型機器を取り扱う作業者が突出したロック部材に手を引っ掛け怪我をしたり、ＤＩＮレール取付型機器を梱包する際に梱包材にロック部材が引っ掛かり梱包しにくいという問題がある。また、ＤＩＮレール取付型機器の搬送中にロック部材が破損したり、ロック部材側を下向きにして平置きすることができないという問題もある。さらに、仮にＤＩＮレール取付型機器がネジ等による固定機構を有しており、ＤＩＮレールに取り付けずにネジ等によって固定するような場合、突出したロック部材を回避するための無駄な設置スペースが必要となるという問題もある。
【０００５】
本発明はこのような問題点に鑑みてなされたものであり、ロック部材を筐体より突出しないように収納することができるＤＩＮレール取付型機器を提供することを目的とする。
【課題を解決するための手段】
【０００６】
上記目的を達成するために、本願発明は、ＤＩＮレールに着脱可能に取り付けられるＤＩＮレール取付型機器であって、筐体と、前記筐体の一面に前記筐体の幅方向に沿って設けられ、前記ＤＩＮレールと嵌合可能なレール溝と、前記筐体の一面に前記レール溝の幅方向に沿って複数並列して設けられたスライダ溝と、前記スライダ溝内を前記レール溝に対して進退するように摺動し、前記レール溝に嵌合された前記ＤＩＮレールの係合片部に一方側端部が係合することにより前記レール溝と前記ＤＩＮレールとの嵌合状態を保持可能な複数のロック部材と、を備え、前記ロック部材は、前記複数のスライダ溝内にそれぞれ個別に設けられており、各ロック部材は、前記一方側端部が前記スライダ溝より前記レール溝内に突出すると共に、他方側端部が前記筐体より突出する第１位置と、前記一方側端部が前記スライダ溝より前記レール溝内に突出し、前記他方側端部が前記スライダ溝内に収納される第２位置と、前記一方側端部が前記スライダ溝内に収納され、前記他方側端部が前記筐体より突出する第３位置とに移動可能であると共に、前記第１位置において、前記一方側端部を前記ＤＩＮレールの係合片部に係合させて前記レール溝と前記ＤＩＮレールとの嵌合状態を保持可能であり、前記レール溝に前記ＤＩＮレールが嵌合されていない場合にのみ前記第２位置に移動可能に構成されており、前記スライダ溝内を移動する際に、前記スライダ溝内に設けられた複数の凹部に順次係合することで、前記ロック部材を前記第１位置、前記第２位置、及び前記第３位置に保持可能な少なくとも１つのバネ片部を有しており、且つ、前記第２位置に移動した際にストッパとして機能すると共に前記筐体内に収納される突出部を前記他方側端部に有している。
【発明の効果】
【０００７】
本発明のＤＩＮレール取付型機器によれば、ロック部材を筐体より突出しないように収納することができる。
【図面の簡単な説明】
【０００８】
【図１】一実施の形態のＤＩＮレール取付型機器の外観を表す斜視図である。
【図２】筐体を背面側から見た平面図、及び、図２（ａ）中ＩＩＢ−ＩＩＢ断面による筐体の縦断面図である。
【図３】ロック部材を筐体の背面側に対応する面側から見た平面図、及び、図３（ａ）中ＩＩＩＢ−ＩＩＩＢ断面によるロック部材の縦断面図である。
【図４】ロック部材がアンロック位置に保持された状態での、ＤＩＮレールに取り付けられたＤＩＮレール取付型機器を筐体の背面側から見た平面図、及び、図４（ａ）中ＩＶＢ−ＩＶＢ断面によるＤＩＮレール取付型機器の縦断面図である。
【図５】バネ片部の先端部とアンロック用凹部とが係合を解除した状態を表す説明図である。
【図６】ロック部材がロック位置に保持された状態での、ＤＩＮレールに取り付けられたＤＩＮレール取付型機器を筐体の背面側から見た平面図、及び、図６（ａ）中ＶＩＢ−ＶＩＢ断面によるＤＩＮレール取付型機器の縦断面図である。
【図７】ロック部材が収納位置に保持された状態での、ＤＩＮレールより取り外されたＤＩＮレール取付型機器を筐体の背面側から見た平面図、及び、図７（ａ）中ＶＩＩＢ−ＶＩＩＢ断面によるＤＩＮレール取付型機器の縦断面図である。
【図８】ロック機構を複数箇所設ける変形例における、ＤＩＮレール取付型機器の外観を表す斜視図である。
【発明を実施するための形態】
【０００９】
以下、一実施の形態について図面を参照しつつ説明する。なお、以下の各図内に「前」「後」「左」「右」「上」「下」の注記がある場合は、明細書中の説明における、前方、後方、左方、右方、上方、下方とは、その注記された方向を指す。
【００１０】
図１、図２（ａ）（ｂ）、及び図３（ａ）（ｂ）において、本実施形態のＤＩＮレール取付型機器１００は、ＤＩＮ（Ｄｅｕｔｓｃｈｅ  Ｉｎｄｕｓｔｒｉｅ  Ｎｏｒｍｅｎ；ドイツ工業規格）に準拠するＤＩＮレール２００に着脱可能に取り付けられる機器である。ＤＩＮレール取付型機器１００としては、例えば、コントローラユニット、ＰＬＣ（Ｐｒｏｇｒａｍｍａｂｌｅ  Ｌｏｇｉｃ  Ｃｏｎｔｒｏｌｌｅｒ）ユニット、インバータユニット、サーボユニット、電源ユニット、Ｉ／Ｏユニット、センサユニット、スイッチユニット、セーフユニット、リレーユニット等の制御機器が用いられる。あるいは、制御機器以外の機器を用いてもよい。このＤＩＮレール取付型機器１００は、図１に示すように、前面である正面（図示せず）、後面である背面１１１Ｂ、上面１１１Ｕ（図２（ｂ）参照）、下面１１１Ｄ、及び左右の側面１１１Ｓを備え、略直方体形状に形成された筐体１１０と、ロック部材１５０とを備えている。なお、本実施形態では、筐体１１０の背面１１１Ｂが、特許請求の範囲に記載の筐体の一面に相当する。あるいは、筐体１１０の背面１１１Ｂ以外の面（例えば筐体１１０の正面等）を、筐体の一面としてもよい。
【００１１】
図１及び図２（ａ）（ｂ）に示すように、筐体１１０の背面１１１Ｂには、筐体１１０の幅方向すなわち左右方向に沿いつつ、当該背面１１１Ｂの左右方向の全長に亘って延在するように、ＤＩＮレール２００と嵌合可能なレール溝１１２が設けられている。このレール溝１１２の上側の端部（以下適宜「上側端部」と称する）１１４Ｕには、ＤＩＮレール２００の上側の係合片部（以下適宜「上側係合片部」と称する）２０１Ｕと係合する係合部１１５が突設されている。
【００１２】
また、筐体１１０の背面１１１Ｂにおけるレール溝１１２より下側の面には、レール溝１１２の幅方向すなわち上下方向に沿いつつ、当該面の上下方向の全長に亘って延在するように、ロック部材１５０を摺動可能に嵌合するスライダ溝１１３が設けられている。このスライダ溝１１３の前側に対応する底面には、ロック部材１５０に備えられたバネ片部１５４（詳細は後述）の位置に対応するように、当該底面の下端部から上方に向かって上下方向に沿って延在する溝１１６が設けられている。
【００１３】
図２（ａ）（ｂ）に示すように、溝１１６には、ロック部材１５０に備えられたバネ片部１５４の先端部１５４Ｔ（図３（ｂ）参照。詳細は後述）と係合可能な３つの凹部１１７，１１８，１１９が設けられている。
【００１４】
これら凹部１１７，１１８，１１９のうち、最も下側に設けられた凹部１１７は、後述の図４（ｂ）に示すように、ロック部材１５０が後述のアンロック位置に移動する際に、バネ片部１５４の先端部１５４Ｔと係合する凹部である。以下適宜、この凹部１１７を「アンロック用凹部１１７」と称する。
【００１５】
また、これら凹部１１７，１１８，１１９のうち、アンロック用凹部１１７と凹部１１９との間に設けられた凹部１１８は、後述の図６（ｂ）に示すように、ロック部材１５０が後述のロック位置に移動する際に、バネ片部１５４の先端部１５４Ｔと係合する凹部である。以下適宜、この凹部１１８を「ロック用凹部１１８」と称する。
【００１６】
また、これら凹部１１７，１１８，１１９のうち、最も上側に設けられた凹部１１９は、後述の図７（ｂ）に示すように、ロック部材１５０が後述の収納位置に移動する際に、バネ片部１５４の先端部１５４Ｔと係合する凹部である。以下適宜、この凹部１１９を「収納用凹部１１９」と称する。
【００１７】
図１及び図３（ａ）（ｂ）に示すように、ロック部材１５０は、スライダ溝１１３内をレール溝１１２に対して進退するように上下方向に沿って摺動し、当該ロック部材１５０の上側に対応する側の端部（一方側端部）である係合側端部１５１が、レール溝１１２に嵌合されたＤＩＮレール２００の下側の係合片部（以下適宜「下側係合片部」と称する）２０１Ｄに係合することにより、レール溝１１２とＤＩＮレール２００との嵌合状態を保持可能とする部材である。このロック部材１５０は、スライダ溝１１３内をアンロック位置と収納位置との間で上下方向に沿って摺動可能であり、アンロック位置、ロック位置、及び収納位置に移動可能に構成されている。
【００１８】
アンロック位置とは、係合側端部１５１がスライダ溝１１３内に収納され、ロック部材１５０の下側に対応する側の端部（他方側端部）である操作側端部１５２が筐体１１０より下方に突出する位置（後述の図４（ａ）（ｂ）に示すロック部材１５０の位置）である。このアンロック位置は、特許請求の範囲に記載の第３位置に相当する。
【００１９】
ロック位置とは、係合側端部１５１がスライダ溝１１３より上方すなわちレール溝１１２内に突出すると共に、操作側端部１５２が筐体１１０より下方に突出する位置（後述の図６（ａ）（ｂ）に示すロック部材１５０の位置）である。このロック位置は、特許請求の範囲に記載の第１位置に相当する。ロック部材１５０は、このロック位置において、係合側端部１５１をＤＩＮレール２００の下側係合片部２０１Ｄに係合させて、レール溝１１２とＤＩＮレール２００との嵌合状態を保持するようになっている（詳細は後述）。
【００２０】
収納位置とは、係合側端部１５１がスライダ溝１１３よりレール溝１１２内に突出し、操作側端部１５２がスライダ溝１１３内に収納される位置（後述の図７（ａ）（ｂ）に示すロック部材１５０の位置）である。この収納位置は、特許請求の範囲に記載の第２位置に相当する。ロック部材１５０は、レール溝１１２にＤＩＮレール２００が嵌合されていない場合、すなわち、ＤＩＮレール取付型機器１００がＤＩＮレール２００より取り外されている場合にのみ、この収納位置に移動可能に構成されている。
【００２１】
また、ロック部材１５０は、前後方向に対応する方向に沿って設けられた貫通孔１５３と、この貫通孔１５３の上側に対応する側の端部に下方に対応する方向に向かって延設され、筐体１１０の奥行き方向すなわち前後方向に対応する方向に弾性的に撓むことが可能な２つのバネ片部１５４とを有している。なお、この例では、バネ片部１５４の数を２つとしているが、バネ片部１５４の数は２つに限られず、１つでもよいし、３つ以上でもよい。また、この例では、バネ片部１５４を貫通孔１５３の上側に対応する側の端部に下方に対応する方向に向かって延設しているが、これに限られず、貫通孔１５３の下側に対応する側の端部に上方に対応する方向に向かって延設してもよい。
【００２２】
バネ片部１５４は、前方に対応する方向に突出するように形成され、スライダ溝１１３内に設けられた、アンロック位置に対応する上記アンロック用凹部１１７、ロック位置に対応する上記ロック用凹部１１８、及び、収納位置に対応する上記収納用凹部１１９に係合可能な先端部１５４Ｔを備えている。このバネ片部１５４は、ロック部材１５０がスライダ溝１１３内を摺動する際に、先端部１５４Ｔがアンロック用凹部１１７、ロック用凹部１１８、及び収納用凹部１１９に順次係合することにより、ロック部材１５０をアンロック位置、ロック位置、及び収納位置に保持可能となっている。
【００２３】
具体的には、バネ片部１５４は、ロック部材１５０がスライダ溝１１３内を摺動する際に、前後方向に弾性的に撓みつつ、先端部１５４Ｔのアンロック用凹部１１７、ロック用凹部１１８、及び収納用凹部１１９への係合及び係合の解除を行うようになっている。すなわち、バネ片部１５４は、後側に弾性的に撓んだ状態で、ロック部材１５０がスライダ溝１１３内を摺動し、先端部１５４Ｔがアンロック用凹部１１７、ロック用凹部１１８、及び収納用凹部１１９のいずれかの凹部に到達した際に、後側への撓みが小さくなることにより、当該到達した凹部に係合し、ロック部材１５０を対応する位置に保持する。ロック部材１５０が別の位置に摺動する際には、バネ片部１５４は、後側に弾性的に撓むことにより、先端部１５４Ｔと上記係合した凹部との係合を解除し、ロック部材１５０の移動を可能とする。
【００２４】
また、ロック部材１５０の操作側端部１５２は、図３（ａ）（ｂ）に示すように、窪部１５５、凹部１５６、及び突出部１５７を備えている。窪部１５５は、左右方向に対応する方向の面において内側に窪んだ部分である。凹部１５６は、前方に対応する方向の面に設けられている。これら窪部１５５及び凹部１５６を操作側端部１５２に設けることにより、操作者は、操作側端部１５２が筐体１１０より下方に突出した状態において、窪部１５５を把持したり（つまんだり）、凹部１５６をドライバにより操作することにより操作側端部１５２を操作してロック部材１５０を操作することができる。突出部１５７は、後方に対応する方向の面に突設されており、操作側端部１５２がスライダ溝１１３内に収納された際に、スライダ溝１１３の後方に位置する突き当たり面１２０（図２（ａ）（ｂ）参照）に接触し、ストッパとして機能する。
【００２５】
ここで、ＤＩＮレール取付型機器１００をＤＩＮレール２００に取り付ける場合には、まず、操作者は、例えば図示しない壁等に対して図示しないネジ等の固定部材により固定されたＤＩＮレール２００の上側係合片部２０１Ｕに、レール溝１１２の上側端部１１４Ｕに突設された係合部１１５を係合させて（引っ掛けて）、レール溝１１２にＤＩＮレール２００を嵌合する。これにより、ＤＩＮレール取付型機器１００がＤＩＮレール２００に取り付けられる。但し、この時点では、スライダ溝１１３に嵌合されたロック部材１５０は、アンロック位置に保持されており、レール溝１１２とＤＩＮレール２００との嵌合状態は保持されていない。
【００２６】
図４（ａ）（ｂ）に示すように、アンロック位置に保持された状態においては、ロック部材１５０は、バネ片部１５４の先端部１５４Ｔがスライダ溝１１３の底面に設けられたアンロック用凹部１１７に係合している。このとき、ロック部材１５０は、係合側端部１５１がスライダ溝１１３内に収納されており、ＤＩＮレール２００の下側係合片部２０１Ｄに係合していない。またこれと共に、操作側端部１５２が筐体１１０より下方に突出している。すなわち、アンロック位置に保持された状態では、ロック部材１５０は、係合側端部１５１をＤＩＮレール２００の下側係合片部２０１Ｄに係合させず、レール溝１１２とＤＩＮレール２００との嵌合状態を保持していない。つまり、ロック部材１５０がレール溝１１２とＤＩＮレール２００との嵌合状態を保持しない状態となっている。
【００２７】
この状態において、操作者が、筐体１１０より下方に突出した操作側端部１５２を介してロック部材１５０を上側に押すと、図５に示すように、バネ片部１５４が後側に弾性的に撓むことで、当該バネ片部１５４の先端部１５４Ｔとアンロック用凹部１１７との係合が解除され、ロック部材１５０が上側に摺動する。そして、バネ片部１５４の先端部１５４Ｔがロック用凹部１１８の位置まで移動したら、バネ片部１５４が後側への撓みが小さくなることによってロック用凹部１１８に係合することにより、ロック部材１５０がロック位置に保持される。
【００２８】
図６（ａ）（ｂ）に示すように、ロック位置に保持された状態においては、ロック部材１５０は、バネ片部１５４の先端部１５４Ｔがスライダ溝１１３の底面に設けられたロック用凹部１１８に係合している。このとき、ロック部材１５０は、係合側端部１５１がスライダ溝１１３よりレール溝１１２内に突出しており、ＤＩＮレール２００の下側係合片部２０１Ｄに係合している。またこれと共に、操作側端部１５２が筐体１１０より下方に突出している。すなわち、ロック位置に保持された状態では、ロック部材１５０は、係合側端部１５１をＤＩＮレール２００の下側係合片部２０１Ｄに係合させて、レール溝１１２とＤＩＮレール２００との嵌合状態を保持している。つまり、ロック部材１５０がレール溝１１２とＤＩＮレール２００との嵌合状態を保持する状態となっている。
【００２９】
この状態において、ＤＩＮレール取付型機器１００をＤＩＮレール２００より取り外す場合には、操作者は、まず筐体１１０より下方に突出した操作側端部１５２を介してロック部材１５０を下側に引いて、ロック部材１５０をアンロック位置に移動させて、ロック部材１５０がレール溝１１２とＤＩＮレール２００との嵌合状態を保持しない状態とする。そして、この状態において、ＤＩＮレール取付型機器１００をＤＩＮレール２００より取り外す。このとき、筐体１１０より下方に突出したロック部材１５０を、筐体１１０より突出しないようにする場合には、ロック部材１５０を収納位置に移動させればよい。すなわち、操作者は、筐体１１０より下方に突出した操作側端部１５２を介してロック部材１５０を上側に押して、バネ片部１５４の先端部１５４Ｔを収納用凹部１１９に係合させる。これにより、ロック部材１５０が収納位置に保持される。
【００３０】
図７（ａ）（ｂ）に示すように、収納位置に保持された状態においては、ロック部材１５０は、バネ片部１５４の先端部１５４Ｔがスライダ溝１１３の底面に設けられた収納用凹部１１９に係合している。このとき、ロック部材１５０は、係合側端部１５１がスライダ溝１１３よりレール溝１１２内に突出している。またこれと共に、操作側端部１５２がスライダ溝１１３内に収納されている。すなわち、収納位置に保持された状態では、ロック部材１５０は、操作側端部１５２をスライダ溝１１３内に収納して、当該ロック部材１５０が筐体１１０より下方に突出しない状態となっている。また、この状態では、操作側端部１５２の突出部１５７が上記突き当たり面１２０に接触している。
【００３１】
この状態において、ＤＩＮレール取付型機器１００をＤＩＮレール２００に取り付ける場合には、操作者は、レール溝１１２内に突出した係合側端部１５１を介してロック部材１５０を下側に押すことにより、操作側端部１５２をスライダ溝１１３より下方に引き出し、その操作側端部１５２を下方に引き下げることにより、バネ片部１５４の先端部１５４Ｔをアンロック用凹部１１７に係合させる。これにより、ロック部材１５０がアンロック位置に保持されるので、前述のようにして、ＤＩＮレール取付型機器１００をＤＩＮレール２００に取り付けることができる。
【００３２】
以上説明したように、本実施形態のＤＩＮレール取付型機器１００は、背面１１１Ｂにレール溝１１２及びスライダ溝１１３が設けられた筐体１１０と、スライダ溝１１３内をレール溝１１２に対して進退するように摺動し、ＤＩＮレール２００の下側係合片部２０１Ｄに係合側端部１５１が係合することでレール溝１１２とＤＩＮレール２００との嵌合状態を保持可能なロック部材１５０とを備えている。このロック部材１５０は、上記アンロック位置、ロック位置、及び収納位置に移動可能であり、レール溝１１２にＤＩＮレール２００が嵌合されていない場合にのみ収納位置に移動可能である。
【００３３】
これにより、レール溝１１２にＤＩＮレール２００が嵌合されていない状態、すなわち、ＤＩＮレール取付型機器１００がＤＩＮレール２００より取り外された状態において、ロック部材１５０を収納位置に移動することにより、ロック部材１５０の操作側端部１５２がスライダ溝１１３内に収納され、ロック部材１５０が筐体１１０より突出しないようにすることができる。その結果、取り外された状態のＤＩＮレール取付型機器１００を取り扱う作業者の突出したロック部材１５０による怪我を防止できると共に、梱包をし易くすることができる。また、ＤＩＮレール取付型機器１００の搬送中にロック部材１５０が破損するのを防止できると共に、ロック部材１５０側を下向きにして平置きすることもできる。さらに、仮にＤＩＮレール取付型機器１００がネジ等による固定機構を有しており、ＤＩＮレール２００に取り付けずにネジ等によって固定するような場合、ロック部材１５０が突出している場合にはそれを回避するための無駄な設置スペースが必要となるが、本実施形態ではロック部材１５０を収納できるため設置スペースを小さくできる。
【００３４】
また、ロック部材１５０は、レール溝１１２にＤＩＮレール２００が嵌合されていない場合にのみ、収納位置に移動可能であるので、レール溝１１２にＤＩＮレール２００が嵌合された状態においては、当該嵌合状態が保持されているか否かに拘わらず、収納位置以外（すなわちロック位置かアンロック位置）に位置することになる。レール溝１１２にＤＩＮレール２００が嵌合された状態では、当該嵌合状態の保持（ロック）とその解除（アンロック）とを切り替えるために操作者がロック部材１５０を操作する必要があるが、ロック部材１５０が収納位置以外（ロック位置かアンロック位置）に位置することにより操作側端部１５２が筐体１１０より突出しているので、操作者は当該操作側端部１５２を用いてロック部材１５０を容易に操作できる。
【００３５】
さらに、ロック部材１５０は、操作側端部１５２がスライダ溝１１３内に収納される収納位置に位置する際に、係合側端部１５１がスライダ溝１１３よりレール溝１１２内に突出するようになっている。このとき、レール溝１１２にＤＩＮレール２００は嵌合されていないので、操作者はレール溝１１２内に突出した係合側端部１５１を下側に押すことにより、操作側端部１５２をスライダ溝１１３より下方に引き出し、操作側端部１５２を筐体１１０より突出させることができる。その結果、操作者は当該操作側端部１５２を用いてロック部材１５０を収納位置からロック位置やアンロック位置に操作することができる。
【００３６】
またさらに、本実施形態では、次のような効果を得ることができる。すなわち、例えば、ロック部材１５０がレール溝１１２とＤＩＮレール２００との嵌合状態を保持した状態（以下「ロック状態」と記載）で上記収納位置となり、当該嵌合状態を保持しない状態（以下「アンロック状態」と記載）で上記アンロック位置となる構成とした場合、ロック状態においてロック部材１５０の操作側端部１５２がスライダ溝１１３内に収納され筐体１１０より下方に突出しなくなるため、操作者がロック状態からアンロック状態に切り替えようとしてもロック部材１５０を操作することが困難となる。
【００３７】
本実施形態では、ロック状態においてもロック部材１５０の操作側端部１５２が筐体１１０より下方に突出しているので、操作者は当該操作側端部１５２を用いてロック部材１５０を操作し、ロック状態をアンロック状態に容易に切り替えることができる。またアンロック状態においてもロック部材１５０の操作側端部１５２が筐体１１０より突出しているので、当該操作側端部１５２を用いてロック部材１５０を操作し、アンロック状態をロック状態に容易に切り替えることができる。このように、ロック状態とアンロック状態の切替操作性を向上することができる。
【００３８】
また、本実施形態では特に、ロック部材１５０が、スライダ溝１１３内を摺動する際に、当該スライダ溝１１３内に設けられたアンロック用凹部１１７、ロック用凹部１１８、及び収納用凹部１１９に順次係合することで、ロック部材１５０をアンロック位置、ロック位置、及び収納位置に保持可能なバネ片部１５４を有している。バネ片部１５４がスライダ溝１１３内に設けられたアンロック用凹部１１７、ロック用凹部１１８、及び収納用凹部１１９に順次係合することで、ロック部材１５０をアンロック位置、ロック位置、及び収納位置に保持することができる。
【００３９】
なお、実施の形態は、上記内容に限られるものではなく、その趣旨及び技術的思想を逸脱しない範囲内で種々の変形が可能である。以下、そのような変形例を説明する。
【００４０】
（１）ロック機構を複数箇所設ける場合
上記実施形態では、筐体１１０の背面１１１Ｂに１つのスライダ溝１１３を設け、当該スライダ溝１１３内にロック部材１５０を設けていたが、これに限られない。すなわち、筐体の背面に複数のスライダ溝を設け、これら複数のスライダ溝内にロック部材１５０をそれぞれ個別に設けてもよい。
【００４１】
図８において、本変形例のＤＩＮレール取付型機器１００′は、正面（図示せず）、背面１１１Ｂ′、上面１１１Ｕ′、下面（図示せず）、及び左右の両側面１１１Ｓ′を備え、略直方体形状に形成された筐体１１０′と、前述のロック部材１５０とを備えている。なお、本変形例では、筐体１１０′の背面１１１Ｂ′が、特許請求の範囲に記載の筐体の一面に相当する。あるいは、筐体１１０′の背面１１１Ｂ′以外の面（例えば筐体１１０′の正面等）を、筐体の一面としてもよい。
【００４２】
筐体１１０′は、前述の筐体１１０より幅方向すなわち左右方向の長さが大きな筐体であり、背面１１１Ｂ′には、左右方向に沿いつつ、当該背面１１１Ｂ′の左右方向の全長に亘って延在するように、前述のＤＩＮレール２００よりも左右方向の長さが大きなＤＩＮレール２００′と嵌合可能なレール溝１１２′が設けられている。また、筐体１１０′の背面１１１Ｂ′におけるレール溝１１２′より下側の面には、レール溝１１２′の幅方向すなわち上下方向に沿いつつ、当該面の上下方向の全長に亘って延在するように、ロック部材１５０を摺動可能に嵌合するスライダ溝１１３′が複数（この例では３つ）並列して設けられている。これら３つのスライダ溝１１３′の構成は、それぞれ、前述のスライダ溝１１３と同様である。また、上記以外の筐体１１０′の構成は、前述の筐体１１０とほぼ同様である。
【００４３】
ロック部材１５０は、上記３つのスライダ溝１１３′内にそれぞれ個別に嵌合されている。すなわち、上記３つのスライダ溝１１３′内にそれぞれ個別に設けられている。各ロック部材１５０は、各スライダ溝１１３′内において、バネ片部１５４により前述のアンロック位置、ロック位置、及び収納位置のいずれかの位置に個別に保持される。図８に示す例では、各ロック部材１５０は、ロック位置に保持されている。
【００４４】
以上説明した本変形例においては、筐体１１０′の背面１１１Ｂ′に複数のスライダ溝１１３′が設けられており、複数のスライダ溝１１３′内にそれぞれロック部材１５０が個別に設けられている。これにより、筐体１１０′の幅方向の長さが比較的大きなＤＩＮレール取付型機器１００′であっても、複数のロック部材１５０を用いて、レール溝１１２とＤＩＮレール２００との嵌合状態を安定して保持することができる。また、各ロック部材１５０は各スライダ溝１１３′内においてバネ片部１５４によりアンロック位置、ロック位置、及び収納位置のいずれかの位置に個別に保持されるので、ＤＩＮレール取付型機器１００′のＤＩＮレール２００′への取り付け又は取り外しをする際に、作業者が複数のロック部材１５０に同時に力をかけて操作する等の必要がなく、作業性を良好に維持できる。
【００４５】
（２）その他
以上においては、スライダ溝１１３，１１３′を、背面１１１Ｂ，１１１Ｂ′におけるレール溝１１２，１１２′より下側の面に設けられていたが、これに限られず、背面１１１Ｂ，１１１Ｂ′におけるレール溝１１２，１１２′より上側の面に設けてもよい。この場合も、上記実施形態や（１）の変形例と同様の効果を得ることができる。
【００４６】
また、以上既に述べた以外にも、上記実施形態や各変形例による手法を適宜組み合わせて利用しても良い。
【００４７】
その他、一々例示はしないが、上記実施形態や各変形例は、その趣旨を逸脱しない範囲内において、種々の変更が加えられて実施されるものである。
【符号の説明】
【００４８】
１００        ＤＩＮレール取付型機器
１１０        筐体
１１１Ｂ      背面
１１２        レール溝
１１３        スライダ溝
１１７        アンロック用凹部（凹部）
１１８        ロック用凹部（凹部）
１１９        収納用凹部（凹部）
１５０        ロック部材
１５１        係合側端部（他方側端部）
１５２        操作側端部（一方側端部）
１５４        バネ片部
２００        ＤＩＮレール
２０１Ｄ      下側係合片部（係合片部）
【要約】
【課題】ロック部材を筐体より突出しないように収納することができるようにする。
【解決手段】ＤＩＮレール取付型機器１００は、筐体１１０と、ＤＩＮレール２００と嵌合可能なレール溝１１２と、スライダ溝１１３と、ロック部材１５０とを備えている。ロック部材１５０は、係合側端部１５１がスライダ溝１１３よりレール溝１１２内に突出すると共に、操作側端部１５２が筐体１１０より突出するロック位置と、係合側端部１５１がスライダ溝１１３よりレール溝１１２内に突出し、操作側端部１５２がスライダ溝１１３内に収納される収納位置とに移動可能であると共に、ロック位置において、係合側端部１５１をＤＩＮレール２００の下側係合片部２０１Ｄに係合させてレール溝１１２とＤＩＮレール１１０との嵌合状態を保持可能であり、レール溝１１２にＤＩＮレール１１０が嵌合されていない場合にのみ収納位置に移動可能に構成されている。
【選択図】図１【図１】
0004844911.tif 000002
【図２】
0004844911.tif 000003
【図３】
0004844911.tif 000004
【図４】
0004844911.tif 000005
【図５】
0004844911.tif 000006
【図６】
0004844911.tif 000007
【図７】
0004844911.tif 000008
【図８】
0004844911.tif 000009